(57)【要約】  精度よく位置決めを行うことが可能で、かつ、外装体の封止性の低下による電池性能の劣化を引き起こすことのない電池およびそれを用いた組電池を提供する。  電池要素１１と、電池要素が収容される外装体であって、ラミネートシート１４ａ，１４ｂを、接着層どうしが互いに対向するような態様とし、周縁部の帯状領域２２において、接着層どうしを互いに接合することにより形成された外装体１４と、帯状領域２２を経て外部に引き出された、正極リード端子１２および負極リード端子１３とを備えた電池１において、外装体１４に、位置決め用係合部材と係合する位置決め用の貫通孔２０を備え、外装体１４が損傷するおそれのある応力が加わった場合に、外装体から少なくとも一部が離脱するか、または貫通孔２０が破断して、位置決め用係合部材との係合が解除されるように構成された位置決め用突起部２１を設ける。
2014087836.tif 000002
【特許請求の範囲】
【請求項１】
正極部材と負極部材とがセパレータを介して互いに対向するように積層された積層体と、電解質とを含む電池要素と、
前記電池要素が収容される外装体であって、樹脂からなる外側の保護層と、金属からなる中間のガスバリア層と、樹脂からなる内側の接着層とを積層して一体化したラミネートシートを、前記接着層どうしが互いに対向するような態様とし、周縁部の帯状領域において、前記接着層どうしを互いに接合することにより形成された外装体と、
前記外装体の前記接着層どうしが接合された前記帯状領域を経て外部に引き出された、前記正極部材と導通する正極リード端子および前記負極部材と導通する負極リード端子と
を備えた電池であって、
前記外装体が、前記帯状領域の外周縁から外側に突出するように形成された、当該電池の位置を他の部材との関係において所定の位置に定める機能を果たす位置決め用突起部であって、位置決め用係合部材と係合する貫通孔を備えているとともに、前記外装体が損傷するおそれのあるような応力が加わった場合に、前記外装体から少なくとも一部が離脱するか、または前記貫通孔が破断して、前記位置決め用係合部材との係合が解除されるように構成された位置決め用突起部を備えていること
を特徴とする電池。
【請求項２】
前記位置決め用突起部が、樹脂板、金属板、セラミック板の少なくとも１種からなるとともに、前記位置決め用突起部が前記外装体に一体に接合されていることを特徴とする請求項１記載の電池。
【請求項３】
前記位置決め用突起部が、前記外装体を構成する前記ラミネートシートの一部から形成されていることを特徴とする請求項１記載の電池。
【請求項４】
前記外装体の平面形状が略方形であり、前記位置決め用突起部が、前記外装体の、前記正極リード端子および前記負極リード端子の少なくとも一方が引き出されている辺に設けられていることを特徴とする請求項１〜３のいずれかに記載の電池。
【請求項５】
請求項１〜４のいずれかに記載の電池の、前記貫通孔に位置決め用係合部材を係合させることにより、複数の前記電池を所定の位置関係となるように組み付けたことを特徴とする組電池。
【発明の詳細な説明】
【技術分野】
【０００１】
本発明は、正極部材、負極部材、セパレータ、電解質などからなる電池要素が、ラミネートシートからなる外装体内に収容された電池（単電池）およびそれを用いて形成される組電池に関する。
【背景技術】
【０００２】
近年、携帯電話、携帯用パーソナルコンピュータなどの携帯用電子機器の電源としてリチウムイオン二次電池などに代表される二次電池が広く用いられるに至っている。【０００３】
ところで、このような二次電池（以下、単に「電池」ともいう）としては、セパレータを介して複数の正極部材と負極部材とが積層された積層体および電解質（電解液）を外装体内に収容するとともに、正極部材および負極部材と導通する正極リード端子および負極リード端子を、外装体から外部に引き出した構造のものが広く用いられている。【０００４】
そのような電池の１つに、単電池を複数、積層体の積層方向に積層してなる電池（組電池）が知られている（特許文献１参照）。【０００５】
ところで、この特許文献１の組電池において用いられている電池（単電池）１００においては、図１０に示すように、正極端子１２０、負極端子１３０が引き出された、ラミネートシートからなる外装体（電池ケース）１１０の、溶着封止部１１５の内周縁１１７と外装体（電池ケース）１１０の外周縁１１８との間に、位置決め用の貫通孔１１６が設けられている。【０００６】
そして、図１１に示すように、この電池（単電池）１００を複数個積層し、位置決めピン２２０を、各単電池１００の貫通孔１１６に挿通することにより、各々の単電池１００が、積層方向に直交する方向について位置決めされることから、特許文献１の発明によれば、複数の単電池１００が位置ずれなく組み付けられた、組電池２００を得ることが可能になるとされている。【０００７】
しかしながら、特許文献１の電池においては、シール部である溶着封止部１１５に位置決め用の貫通孔１１６を設けるようにしているため、封止信頼性が低下するという問題点がある。また、溶着封止部１１５に位置決め用の貫通孔１１６を設けた場合、外装体（電池ケース）１１０の内部（電池内部）に水分が浸入しやすくなったり、外装体（電池ケース）１１０の外部部に電解液が漏出したりして、電池性能の劣化を引き起こすという問題点がある。【０００８】
また、組電池２００を形成したときに、位置決めピン２２０が組電池２００に残っているため、振動などにより溶着封止部（シール部）１１５に応力が加わり、シール部が破壊されやすく、信頼性が低いという問題点がある。
【先行技術文献】
【特許文献】
【０００９】
【特許文献１】特開２００７−５９１４４号公報
【発明の概要】
【発明が解決しようとする課題】
【００１０】
本発明は、上記課題を解決するものであり、精度よく位置決めを行うことが可能であるとともに、外装体の封止性の低下による電池性能の劣化を引き起こすことのない電池およびそれを用いた、振動などによる応力が加わった場合にも各電池の封止性の低下を引き起こすことのない信頼性の高い組電池を提供することを目的とする。
【課題を解決するための手段】
【００１１】
上記課題を解決するために、本発明の電池は、
正極部材と負極部材とがセパレータを介して互いに対向するように積層された積層体と、電解質とを含む電池要素と、
前記電池要素が収容される外装体であって、樹脂からなる外側の保護層と、金属からなる中間のガスバリア層と、樹脂からなる内側の接着層とを積層して一体化したラミネートシートを、前記接着層どうしが互いに対向するような態様とし、周縁部の帯状領域において、前記接着層どうしを互いに接合することにより形成された外装体と、
前記外装体の前記接着層どうしが接合された前記帯状領域を経て外部に引き出された、前記正極部材と導通する正極リード端子および前記負極部材と導通する負極リード端子と
を備えた電池であって、
前記外装体が、前記帯状領域の外周縁から外側に突出するように形成された、当該電池の位置を他の部材との関係において所定の位置に定める機能を果たす位置決め用突起部であって、位置決め用係合部材と係合する貫通孔を備えているとともに、前記外装体が損傷するおそれのあるような応力が加わった場合に、前記外装体から少なくとも一部が離脱するか、または前記貫通孔が破断して、前記位置決め用係合部材との係合が解除されるように構成された位置決め用突起部を備えていること
を特徴としている。【００１２】
なお、本発明の電池において、接着層どうしを互いに接合するにあたっては、通常、熱溶着の方法を用いることが好ましいが、接着剤を用いる方法など、他の接着方法を用いることも可能である。【００１３】
また、本発明において、「前記接着層どうしが互いに対向するような態様とし」とは、一対の（２枚の）ラミネートシートを対向するように配置して、その接着層どうしが向かい合うようにした場合や、１枚のラミネートシートを折り返して、接着層どうしが向かい合うようにした場合などを意味する概念である。【００１４】
また、本発明において、「周縁部の帯状領域において、前記接着層どうしを互いに接合する」とは、外装体の周縁部（周囲）の全体を周回するような帯状領域において接着層どうしを互いに接合する場合に限らず、外装体の周縁部（周囲）の主要部を周回するが、その全体を周回しないような帯状領域において接着層どうしを互いに接合する場合も含むものである。【００１５】
本発明の電池においては、前記位置決め用突起部が、樹脂板、金属板、セラミック板の少なくとも１種からなるとともに、前記位置決め用突起部が前記外装体に一体に接合されていることが好ましい。【００１６】
位置決め用突起部を、外装体とは別部材である、樹脂板、金属板、セラミック板の少なくとも１種からなるものとし、かつ、かかる位置決め用突起部を外装体に一体に接合するようにした場合、外装体の封止性に影響を与えることなく、外装体に確実に位置決め用突起部を設けることが可能になり、本発明をより実効あらしめることができる。【００１７】
なお、位置決め用突起部材を構成する樹脂板、金属板、およびセラミック板は単独で用いてもよくまた組み合わせて用いてもよい。【００１８】
また、位置決め用突起部を外装体に接合する場合の代表的な方法としては、接着剤を用いて位置決め用突起部となる部材（例えば、樹脂板、金属板、セラミック板など）を接着する（外付けする）方法が挙げられる。【００１９】
また、前記位置決め用突起部が、前記外装体を構成する前記ラミネートシートの一部から形成されていることが好ましい。【００２０】
ラミネートシートに予め、位置決め用突起部となる、貫通孔を備えた突起部を有するような形状に打ち抜き、前記接着層どうしを互いに接合することにより外装体を形成したときに、外装体と一体に位置決め用突起部が形成されるように構成することにより、別部材としての位置決め用突起部となる部材（例えば、樹脂板、金属板、セラミック板など）を別途用意することなく、位置決め用突起部を備えた外装体を形成することが可能になる。【００２１】
また、位置決め用突起部が、外装体と一体に形成されているので、位置決め用突起部が外装体から脱落したりするおそれが少なく、信頼性を向上させることができる。また、位置決め用突起部を接着する工程が不要となり、生産性を向上させることができる。【００２２】
また、前記外装体の平面形状が略方形であり、前記位置決め用突起部が、前記外装体の、前記正極リード端子および前記負極リード端子の少なくとも一方が引き出されている辺に設けられていることが好ましい。【００２３】
位置決め用突起部を、外装体の、正極リード端子および負極リード端子の少なくとも一方が引き出されている辺に設けることにより、位置決め用突起部や正極リード端子などに起因する電池体積の増大を抑制して、電池の体積エネルギー密度の低下を抑制することが可能になる。【００２４】
また、本発明の組電池は、上記本発明の電池を用いた組電池であって、前記貫通孔に位置決め用係合部材を係合させることにより、複数の前記電池を所定の位置関係となるように組み付けたことを特徴としている。
【発明の効果】
【００２５】
本発明の電池は、外装体が、帯状領域の外周縁から外側に突出するように形成された、当該電池の位置を他の部材との関係において所定の位置に定めるための位置決め機能を果たす位置決め用突起部であって、位置決め用係合部材と係合する位置決め用の貫通孔を備えているとともに、外装体が損傷するおそれのある応力が加わった場合に、外装体から少なくとも一部が離脱するか、または貫通孔が破断して、前記位置決め用係合部材との係合が解除されるように構成された位置決め用突起部を備えているので、精度よく位置決めを行うことが可能であるとともに、位置決め用突起部の貫通孔に、位置決め用係合部材を係合させて位置決めした状態（例えば、複数の電池を組み付けして組電池を形成した状態）で、振動などにより位置決め用突起部に所定の応力（外装体が損傷するおそれのあるような応力）が加わった場合に、位置決め用突起部が外装体から離脱するか、貫通孔が破断して貫通孔と位置決め用係合部材との係合が解除されるため、各電池の封止性の低下を引き起こすことを防止することが可能な、信頼性の高い電池を提供することが可能になる。
また、本発明の電池は、外装体の接合部（シール部）である、周縁部の帯状領域に位置決め用の貫通孔が存在しないため、その点でも、高い封止性を確保することが可能になり、信頼性の高い電池を提供することが可能になる。【００２６】
また、本発明の組電池は、上記本発明の電池の、位置決め用突起部に形成された貫通孔に位置決め用係合部材を係合させることにより、複数の電池を所定の位置関係となるように組み付けるようにしているので、各電池が所定の位置に確実に保持され、かつ、振動などにより電池（単電池）を構成する外装体の接合部（シール部）に応力が加わった場合にも、位置決め用突起部が外装体から離脱するか、貫通孔が破断して貫通孔と位置決め用係合部材との係合が解除されるため、各電池の封止性の低下を引き起こすことがなく、信頼性の高い組電池を提供することができる。
【図面の簡単な説明】
【００２７】
【図１】本発明の一実施形態（実施形態１）にかかる電池の構成を示す平面図である。
【図２】本発明の実施形態１にかかる電池の正面要部断面図である。
【図３】本発明の実施形態１にかかる電池の外装体を構成するラミネートシートの構成を示す図である。
【図４】本発明の電池を組み合わせて形成した組電池の要部構成を示す正面図である。
【図５】本発明の他の実施形態（実施形態２）にかかる電池の構成を示す平面図である。
【図６】本発明の実施形態２の電池の変形例にかかる電池の構成を示す平面図である。
【図７】本発明のさらに他の実施形態（実施形態３）にかかる電池の構成を示す図である。
【図８】本発明の実施形態３の電池の変形例にかかる電池の外装体の形成方法を説明する平面図である。
【図９】本発明のさらに他の実施形態４にかかる電池１の構成を示す平面図である。
【図１０】従来の電池の構成を示す平面図である。
【図１１】図１０の電池を用いて形成した従来の組電池の構成を示す図である。
【発明を実施するための形態】
【００２８】
以下に本発明の実施形態を示して、本発明の特徴とするところをさらに詳しく説明する。
［実施形態１］
【００２９】
図１は本発明の一実施形態（実施形態１）にかかる電池（リチウムイオン二次電池）（単電池）を示す平面図、図２は要部を断面として模式的に示す正面要部断面図である。
【００３０】
この実施形態１の電池１は、図１，２に示すように、平面形状が略方形の外装体１４と、外装体１４の内部に配設された電池要素１１と、外装体１４の互いに対向する辺２４ａ，２４ｂに引き出された正極リード端子１２および負極リード端子１３とを備えている。
【００３１】
なお、電池要素１１は、特に図示しないが、正極部材と負極部材とをセパレータを介して互いに対向するように積層してなる積層体と、電解質としての電解液とを備えている。
【００３２】
そして、上記正極リード端子１２と、負極リード端子１３とは、外装体１４の内部に収容された電池要素１１の正極部材および負極部材（特に図示せず）のそれぞれに電気的に接続されている。
【００３３】
また、電池要素１１が収容された外装体１４は、図３に示すように、樹脂（この実施形態１ではポリアミド系樹脂）からなる外側の保護層１５と、金属（この実施形態１ではアルミニウム）からなる中間のガスバリア層１６と、樹脂（この実施形態１ではポリプロピレン樹脂）からなる内側の接着層１７とを積層して一体化したラミネートシート１４ａ，１４ｂを用いて形成されている（図２）。
【００３４】
すなわち、外装体１４は、一対のラミネートシート１４ａ，１４ｂを、接着層１７どうしが互いに対向するように配設した後、一対のラミネートシート１４ａ，１４ｂの周縁部の帯状領域２２において、接着層１７どうしを互いに接合（熱溶着）することにより形成されている。なお、この実施形態１では、ラミネートシート１４ａ，１４ｂとして、電池要素１１を収容する収容空間３０（図２）を形成するために、絞り加工を施したものが用いられている。
【００３５】
さらに、この実施形態１の電池１においては、外装体１４の、正極リード端子１２および負極リード端子１３が引き出された一対の辺２４ａ，２４ｂと直交し、互いに対向する一対の辺２４ｃ，２４ｄのそれぞれには、当該電池１の位置を、他の部材との関係（例えば、複数の単電池を組み合わせて電池パック（組電池）を形成する場合の他の単電池との関係）において、所定の位置に定めるために用いられる、貫通孔２０を備えた位置決め用突起部２１が設けられている。
なお、位置決め用突起部２１はその貫通孔２０に、位置決めピンなどの位置決め用係合部材が係合することにより、位置決めの機能を果たすものである。
【００３６】
また、この実施形態１の電池１において、各位置決め用突起部２１は、樹脂からなる板状材料（樹脂板）を、接着剤により外装体１４の周縁部の帯状領域２２の外表面に接合することにより形成されている。
そして、各位置決め用突起部２１は、外装体１４が損傷するおそれのあるような応力が加わった場合に、外装体１４の、周縁部の帯状領域２２などが損傷する前に、外装体１４から剥がれて離脱するような態様で、外装体１４の帯状領域２２の外表面に接合されている。
【００３７】
なお、位置決め用突起部２１が、所定の応力が加わった場合に、外装体１４から剥がれて離脱するようにするための方法としては、
帯状領域２２の外表面に位置決め用突起部２１を接合するために用いる接着剤の種類を選択する、
樹脂板からなる位置決め用突起部２１を構成する樹脂の種類と外装体１４の最外層を構成する材料の種類との関係を調整する、
位置決め用突起部２１の帯状領域２２への接合面積の大きさを調整する
などの方法が例示されるが、さらに他の方法を用いることも可能である。
【００３８】
この実施形態１のような構成とすることにより、周縁部の接合部である帯状領域２２に貫通孔が存在しないことから、封止信頼性に優れた電池１を得ることができる。また、外装体１４が貫通孔２０を有する位置決め突起部２１を備えていることから、精度よく位置決めを行うことが可能で、しかも、位置決め用突起部２１に、外装体１４が損傷するおそれのある応力が加わった場合に、位置決め用突起部２１が外装体１４から離脱するように構成されていることから、振動などの衝撃を受けた場合にも、封止性の低下を引き起こすことのない、信頼性の高い電池１を得ることが可能になる。
【００３９】
また、図４は、この実施形態１の電池１を用いて作製した組電池５０の要部構成を模式的に示す斜視図である。
すなわち、この組電池５０は、上述の実施形態１にかかる電池（単電池）１の、位置決め用突起部２１に形成された貫通孔２０に、位置決めピン（位置決め用係合部材）４０を挿通させて、複数の電池１を所定の位置関係となるように組み付けたものである。
【００４０】
この組電池５０においては、上述のように貫通孔２０に位置決めピン（位置決め用係合部材）４０を係合（挿通）させて、複数の電池１を所定の位置関係となるように位置決めして組み付けるようにしているので、各電池１が所定の位置に確実に保持された信頼性の高い組電池を得ることができる。
【００４１】
この組電池５０に、電池（単電池）を構成する外装体１４の帯状領域（封止部）２２が損傷を受ける大きさの応力が生じるような振動を印加して、振動試験を行った。その結果、振動によって位置決め用突起部２１が、接合部で外装体１４から剥離して離脱した。その結果、外装体１４の帯状領域（封止部）２２が破損するようなことはなく、高い封止信頼性を備えていることが確認された。
【００４２】
なお、この実施形態１では、上述のように、位置決め用突起部２１を構成する材料として、樹脂板を用いているが、金属板やセラミック板などを用いることも可能である。また、樹脂板、金属板、セラミック板のうち２種類以上を組み合わせた材料を用いることも可能である。
【００４３】
［実施形態２］
図５は、本発明の実施形態２にかかる電池１を示す平面図である。上記実施形態１では、外装体１４とは別体である樹脂板からなる位置決め用突起部２１を、接着剤により外装体１４の周縁部の帯状領域（熱溶着部）２２の外表面に接合するようにしているが、この実施形態２では、位置決め用突起部２１を、外装体１４を構成するラミネートシート１４ａ，１４ｂ（図２参照）の一部から形成している。
【００４４】
すなわち、この実施形態２の電池１では、外装体１４を構成する一対のラミネートシート１４ａ，１４ｂ（図２参照）の一部に、位置決め用突起部２１となる、貫通孔２０を備えた突起部２１ａを設けておき、一対のラミネートシート１４ａ，１４ｂの、周縁部の帯状領域２２と突起部２１ａの接着層１７（図３参照）どうしを互いに接合（熱圧着）することにより、外装体１４を形成するとともに、位置決め用突起部２１を形成している。なお、位置決めのために用いられる貫通孔２０は、一対のラミネートシート１４ａ，１４ｂを熱溶着した後で形成することもできる。
【００４５】
そして、位置決め用突起部２１には、外装体１４が損傷するおそれのあるような応力が加わった場合に、外装体１４の、周縁部の帯状領域２２などが損傷する前に、その一部が破断して、外装体１４から離脱し、位置決めピンなどの位置決め用係合部材との係合が解除されるように、２つの切り欠き２５が設けられている。
【００４６】
すなわち、位置決め用突起部２１の両側辺には、互いに対向するようにＶ字状の切り欠き２５が形成されており、外装体１４が損傷するおそれのあるような応力が加わった場合に、切り欠き２５が形成された位置で位置決め用突起部２１が破断し、位置決めピンなどの位置決め用係合部材との係合が解除されるように構成されている。
その他の構成は、上記実施形態１の電池の場合と同様である。また、図５において、図１，２と同一符号を付した部分は同一または相当する部分を示す。
【００４７】
この実施形態２のような構成とした場合にも、外装体１４の周縁部の帯状領域（接合部）２２に貫通孔が存在しないことから、封止信頼性に優れた電池を得ることができる。また、外装体が貫通孔を有する位置決め突起部を備えていることから、精度よく位置決めを行うことが可能で、しかも、位置決め用突起部に、外装体が損傷するおそれのある応力が加わった場合に、その一部が破断して、外装体１４から離脱し、位置決めピンなどの位置決め用係合部材との係合が解除されるように、切り欠き２５が設けられていることから、振動などの衝撃を受けた場合にも、封止性の低下を引き起こすことのない、信頼性の高い電池を得ることができる。
【００４８】
また、この実施形態２の構成の場合、別部材としての位置決め用突起部となる部材（例えば、樹脂板、金属板、セラミック板など）を別途用意することなく、位置決め用突起部２１を備えた外装体１４を形成することが可能になり、生産性を向上させることができる。
【００４９】
また、この実施形態２の電池の場合、その他の点においても上記実施形態１の電池の場合と同様の効果を得ることができる。
【００５０】
また、この実施形態２の電池１を用いて、上記実施例１の場合と同様に、位置決め用突起部２１に形成された貫通孔２０に、位置決めピン（位置決め用係合部材）を挿通させ、複数の電池１を所定の位置関係となるように組み付けることにより組電池を作製した。そして、得られた組電池について、上記実施形態１で説明した方法と同じ方法で振動試験を行った。
【００５１】
その結果、振動によって位置決め用突起部２１の一部が破断して、外装体１４から剥離して離脱し、位置決め用突起部２１と位置決めピン（位置決め用係合部材）との係合が解除され、外装体１４の帯状領域（封止部）２２が破損するような事態は生じないことが確認された。
【００５２】
なお、この実施形態２の電池１の変形例として、位置決め用突起部２１を外装体１４を構成するラミネートシート１４ａ，１４ｂの一部から形成するのではなく、図６に示すように、切り欠き２５を形成した樹脂板などからなる位置決め用突起部２１を外装体１４の周縁部の帯状領域２２の外表面に十分な強度を持つように接合し、位置決め用突起部２１に外装体１４が損傷するおそれのあるような応力が加わった場合に、切り欠き２５が形成された位置で位置決め用突起部２１が破断するような構成とすることも可能である。
【００５３】
［実施形態３］
図７は、本発明の実施形態３にかかる電池１を示す平面図である。上記実施形態２では、位置決め用突起部２１に切り欠き２５を形成して、外装体１４が損傷するおそれのあるような応力が加わった場合に、切り欠き２５を設けた位置で位置決め用突起部２１が破断して、外装体１４から離脱し、位置決めピンなどの位置決め用係合部材との係合が解除されるようにしたが、この実施形態３の電池１では、図７に示すように、位置決め用突起部２１が、外装体１４が損傷するおそれのあるような応力が加わった場合に、貫通孔２０が破断して、位置決めピンなどの位置決め用係合部材と位置決め用突起部との係合が解除されるように構成されている。
【００５４】
すなわち、この実施形態３の電池１では、貫通孔２０から位置決め用突起部２１の外周部までの寸法を小さくして、位置決めピンなどの位置決め用係合部材から貫通孔２０にある程度以上の大きな応力がかかった場合に、位置決め用突起部２１が外装体１４から離脱してしまうのではなく、貫通孔２０が破断する（開環する）ことにより、位置決めピンなどの位置決め用係合部材との係合が解除されるように構成されている。
【００５５】
その他の構成は、上記実施形態２の電池の場合と同様である。また、図７において、図１，２，５と同一符号を付した部分は同一または相当する部分を示す。
【００５６】
この実施形態３の電池１の場合、位置決め用突起部２１に外装体１４が損傷するおそれのあるような応力が加わった場合に、貫通孔２０が破断する（開環する）ことにより、位置決めピンなどの位置決め用係合部材との係合が解除されるため、外装体１４が損傷して、電池１の封止性の低下を引き起こすというような問題点を回避することが可能で、信頼性の高い電池１を提供することが可能になる。
【００５７】
なお、実施形態３の電池１の変形例として、位置決め用突起部２１を外装体１４を構成するラミネートシート１４ａ，１４ｂの一部から形成するのではなく、図８に示すように、位置決め用突起部２１に外装体１４が損傷するおそれのあるような応力が加わった場合に、貫通孔２０が破断するような形状を与えた樹脂板などからなる位置決め用突起部２１を外装体１４の周縁部の帯状領域２２の外表面に十分な強度を持つように接合し、位置決め用突起部に外装体が損傷するおそれのあるような応力が加わった場合に、貫通孔２０が破断するような構成とすることも可能である。
【００５８】
また、特に図示しないが、この実施形態３の電池１を用いて、上記実施例１の場合と同様に、位置決め用突起部２１に形成された貫通孔２０に、位置決めピン（位置決め用係合部材）を挿通させ、複数の電池１を所定の位置関係となるように組み付けることにより組電池を作製した。そして、得られた組電池について、上記実施形態１で説明した方法と同じ方法で振動試験を行った。
【００５９】
その結果、振動によって位置決め用突起部２１の一部が破断して、外装体１４の貫通孔２０が破断して、位置決め用突起部２１と位置決めピン（位置決め用係合部材）との係合が解除され、外装体１４の帯状領域（封止部）２２が破損するような事態は生じないことが確認された。
【００６０】
［実施形態４］
図９は、本発明の実施形態４にかかる電池１を示す平面図である。この実施形態４では、外装体１４の１つの辺２４ｂに正極リード端子１２および負極リード端子１３が引き出すとともに、同じ辺２４ｂに２つの位置決め用突起部２１を設けるようにしている。なお、位置決め用突起部２１は、接着剤により外装体１４の周縁部の帯状領域２２の外表面に接合することにより形成されている。
【００６１】
また、各位置決め用突起部２１は、外装体１４が損傷するおそれのあるような応力が加わった場合に、外装体１４の、周縁部の帯状領域２２などが損傷する前に、外装体１４から剥がれて離脱するような態様で、外装体１４の帯状領域２２の外表面に接合されている。
【００６２】
この実施形態４のように、外装体１４の１つの辺２４ｂに正極リード端子１２および負極リード端子１３が引き出すとともに、同じ辺２４ｂに２つの位置決め用突起部２１を設けるようにした場合、正極リード端子１２と負極リード端子１３を異なる辺に設けたり、２つの位置決め用突起部２１を異なる辺に設けたりする場合に比べて、位置決め用突起部や正極リード端子などに起因する電池体積の増大を抑制して、電池の体積エネルギー密度の低下を抑制し、体積エネルギー密度の高い電池を提供することが可能になる。
なお、実施形態４の電池１の場合にも、特に図示しないが、位置決め用突起部を、外装体を構成するラミネートシートの一部から形成することも可能である。
【００６３】
また、特に図示しないが、この実施形態４の電池１を用いて、上記実施例１の場合と同様に、位置決め用突起部２１に形成された貫通孔２０に、位置決めピン（位置決め用係合部材）を挿通させ、複数の電池１を所定の位置関係となるように組み付けることにより組電池を作製した。
【００６４】
そして、この組電池について、振動試験を行った。その結果、振動によって位置決め用突起部２１の一部が破断して、外装体１４から剥離して離脱し、位置決め用突起部２１と位置決めピン（位置決め用係合部材）との係合が解除されるため、外装体１４の帯状領域（封止部）２２が破損するようなことはないことが確認された。  
【００６５】
また、上記の各実施形態および変形例では、位置決め用突起部の数が２つである場合を例にとって説明したが、外装部に設ける位置決め用突起部の数に特別の制約はなく、場合によっては１つの位置決め用突起部を設けるようにしてもよく、また、３以上の位置決め用突起部を設けるようにしてもよい。
【００６６】
また、上記の各実施形態および変形例では、各位置決め用突起部に１つの貫通孔が形成されている場合を例にとって説明したが、１つの位置決め用突起部に形成すべき貫通孔の数に特別の制約はなく、場合によっては１つの位置決め用突起部に複数の貫通孔を設けるようにしてもよい。
【００６７】
また、本発明の電池においては、位置決め用突起部を外装体に取り付けるにあたって、一対のラミネートシートの周縁部の帯状領域の接着層間に挟み込んで接合するように構成することも可能である。
【００６８】
また、上記実施形態では、外装体を一対のラミネートシートを接合することにより形成するようにしているが、１枚のラミネートシートを折り返して、接着層どうしが向かい合うようにして、その周縁部の帯状領域を互いに接合させることにより外装体を形成することも可能である。
【００６９】
また、上記の各実施形態では、外装体１４を構成するラミネートシート１４ａ，１４ｂとして、ポリアミド系樹脂からなる外側の保護層１５と、アルミニウムからなる中間のガスバリア層１６と、ポリプロピレン樹脂からなる内側の接着層１７とを積層して一体化した構成のものを用いたが、本発明において用いることが可能なラミネートシートはこれに限られるものではなく、外装体を形成したときに、外側層となる保護層（樹脂層）、中間層となるガスバリア層（金属層）、および外側層となる接着層（樹脂層）を備えた種々のラミネートシートを用いることが可能である。
【００７０】
本発明は、さらにその他の点においても上記の各実施形態や変形例に限定されるものではなく、位置決め用突起部の具体的な形状やその構成材料、電池要素の具体的な構成、外装体の具体的な形状や構成などに関し、発明の範囲内において、種々の応用、変形を加えることが可能である。
【符号の説明】
【００７１】
１                電池（単電池）
１１              電池要素
１２              正極リード端子
１３              負極リード端子
１４              外装体
１４ａ，１４ｂ    ラミネートシート
１５              外側の保護層（ポリアミド樹脂層）
１６              ガスバリア層（アルミニウム層）
１７              内側の接着層（ポリプロピレン樹脂層）
２０              貫通孔
２１              位置決め用突起部
２１ａ            ラミネートシートに設けた突起部
２２              帯状領域（熱溶着部）
２３              折り返し位置
２４ａ，２４ｂ，２４ｃ，２４ｄ    外装体の辺
２５              切り欠き
３０              収容空間
４０              位置決めピン（位置決め用係合部材）
５０              組電池
【図１】
2014087836.tif 000003
【図２】
2014087836.tif 000004
【図３】
2014087836.tif 000005
【図４】
2014087836.tif 000006
【図５】
2014087836.tif 000007
【図６】
2014087836.tif 000008
【図７】
2014087836.tif 000009
【図８】
2014087836.tif 000010
【図９】
2014087836.tif 000011
【図１０】
2014087836.tif 000012
【図１１】
2014087836.tif 000013
【手続補正書】
【提出日】平成28年7月15日(2016.7.15)
【手続補正１】
【補正対象書類名】明細書
【補正対象項目名】００１１
【補正方法】変更
【補正の内容】
【００１１】
上記課題を解決するために、本発明の電池は、
正極部材と負極部材とがセパレータを介して互いに対向するように積層された積層体と、電解質とを含む電池要素と、
前記電池要素が収容される外装体であって、樹脂からなる外側の保護層と、金属からなる中間のガスバリア層と、樹脂からなる内側の接着層とを積層して一体化したラミネートシートを、前記接着層どうしが互いに対向するような態様とし、周縁部の帯状領域において、前記接着層どうしを互いに接合することにより形成された外装体と、
前記外装体の前記接着層どうしが接合された前記帯状領域を経て外部に引き出された、前記正極部材と導通する正極リード端子および前記負極部材と導通する負極リード端子と
を備えた電池であって、
前記外装体が、前記帯状領域の外周縁から外側に突出するように形成された、当該電池の位置を他の部材との関係において所定の位置に定める機能を果たす位置決め用突起部であって、位置決め用係合部材と係合する貫通孔を備えているとともに、前記外装体が損傷するおそれのあるような応力が加わった場合に、前記外装体の封止性に影響を与えることなく、前記外装体から少なくとも一部が離脱するか、または前記貫通孔が破断して、前記位置決め用係合部材との係合が解除されるように構成された位置決め用突起部を備えていること
を特徴としている。
【手続補正２】
【補正対象書類名】明細書
【補正対象項目名】００２５
【補正方法】変更
【補正の内容】
【００２５】
本発明の電池は、外装体が、帯状領域の外周縁から外側に突出するように形成された、当該電池の位置を他の部材との関係において所定の位置に定めるための位置決め機能を果たす位置決め用突起部であって、位置決め用係合部材と係合する位置決め用の貫通孔を備えているとともに、外装体が損傷するおそれのある応力が加わった場合に、外装体の封止性に影響を与えることなく、外装体から少なくとも一部が離脱するか、または貫通孔が破断して、前記位置決め用係合部材との係合が解除されるように構成された位置決め用突起部を備えているので、精度よく位置決めを行うことが可能であるとともに、位置決め用突起部の貫通孔に、位置決め用係合部材を係合させて位置決めした状態（例えば、複数の電池を組み付けして組電池を形成した状態）で、振動などにより位置決め用突起部に所定の応力（外装体が損傷するおそれのあるような応力）が加わった場合に、外装体の封止性に影響を与えることなく、位置決め用突起部が外装体から離脱するか、貫通孔が破断して貫通孔と位置決め用係合部材との係合が解除されるため、各電池の封止性の低下を引き起こすことを防止することが可能な、信頼性の高い電池を提供することが可能になる。
また、本発明の電池は、外装体の接合部（シール部）である、周縁部の帯状領域に位置決め用の貫通孔が存在しないため、その点でも、高い封止性を確保することが可能になり、信頼性の高い電池を提供することが可能になる。
【手続補正３】
【補正対象書類名】明細書
【補正対象項目名】００２６
【補正方法】変更
【補正の内容】
【００２６】
また、本発明の組電池は、上記本発明の電池の、位置決め用突起部に形成された貫通孔に位置決め用係合部材を係合させることにより、複数の電池を所定の位置関係となるように組み付けるようにしているので、各電池が所定の位置に確実に保持され、かつ、振動などにより電池（単電池）を構成する外装体の接合部（シール部）に応力が加わった場合にも、外装体の封止性に影響を与えることなく、位置決め用突起部が外装体から離脱するか、貫通孔が破断して貫通孔と位置決め用係合部材との係合が解除されるため、各電池の封止性の低下を引き起こすことがなく、信頼性の高い組電池を提供することができる。
【手続補正４】
【補正対象書類名】特許請求の範囲
【補正対象項目名】全文
【補正方法】変更
【補正の内容】
【特許請求の範囲】
【請求項１】
正極部材と負極部材とがセパレータを介して互いに対向するように積層された積層体と、電解質とを含む電池要素と、
前記電池要素が収容される外装体であって、樹脂からなる外側の保護層と、金属からなる中間のガスバリア層と、樹脂からなる内側の接着層とを積層して一体化したラミネートシートを、前記接着層どうしが互いに対向するような態様とし、周縁部の帯状領域において、前記接着層どうしを互いに接合することにより形成された外装体と、
前記外装体の前記接着層どうしが接合された前記帯状領域を経て外部に引き出された、前記正極部材と導通する正極リード端子および前記負極部材と導通する負極リード端子と
を備えた電池であって、
前記外装体が、前記帯状領域の外周縁から外側に突出するように形成された、当該電池の位置を他の部材との関係において所定の位置に定める機能を果たす位置決め用突起部であって、位置決め用係合部材と係合する貫通孔を備えているとともに、前記外装体が損傷するおそれのあるような応力が加わった場合に、前記外装体の封止性に影響を与えることなく、前記外装体から少なくとも一部が離脱するか、または前記貫通孔が破断して、前記位置決め用係合部材との係合が解除されるように構成された位置決め用突起部を備えていること
を特徴とする電池。
【請求項２】
前記位置決め用突起部が、樹脂板、金属板、セラミック板の少なくとも１種からなるとともに、前記位置決め用突起部が前記外装体に一体に接合されていることを特徴とする請求項１記載の電池。
【請求項３】
前記位置決め用突起部が、前記外装体を構成する前記ラミネートシートの一部から形成されていることを特徴とする請求項１記載の電池。
【請求項４】
前記外装体の平面形状が略方形であり、前記位置決め用突起部が、前記外装体の、前記正極リード端子および前記負極リード端子の少なくとも一方が引き出されている辺に設けられていることを特徴とする請求項１〜３のいずれかに記載の電池。
【請求項５】
請求項１〜４のいずれかに記載の電池の、前記貫通孔に位置決め用係合部材を係合させることにより、複数の前記電池を所定の位置関係となるように組み付けたことを特徴とする組電池。
【国際調査報告】
2014087836.tif 000014
2014087836.tif 000015
2014087836.tif 000016
2014087836.tif 000017
2014087836.tif 000018
2014087836.tif 000019